Podtech/llm-jp-corpus-v4-ja_patent huggingface dataset:
(57)【要約】【課題】  容易に移動できる移動式工業用扇風機を提供する。【解決手段】  扇風機１、フレーム２及びハンドル桿３から構成される。フレーム２下方にキャスター２１を設置し、フレーム２上には差込管２２を設置する。差込管２２には位置をずらした穿孔が穿設され、差込管２２にハンドル桿３を設置する。ハンドル桿３にも位置をずらした穿孔が対応し、固定部品２３によって固定する。ハンドル桿３には別にフック３１を設置する。【選択図】    図２
0003102227.tif 000002
【実用新案登録請求の範囲】
【請求項１】
扇風機、フレーム及びハンドル桿から構成された移動式工業用扇風機において、
扇風機をフレームに固定し、フレーム下方にはキャスターを設置し、キャスター上には差込管を設置し、差込管には位置をずらした穿孔を穿設し、差込管にハンドル桿を連接し、ハンドル桿にも位置をずらした穿孔が設置され、固定部品で固定し、ハンドル桿上には別にフックが設置されることを特徴とする移動式工業用扇風機。
【考案の詳細な説明】
【技術分野】
【０００１】
本考案は、移動式工業用扇風機に関するもので、定位可能なキャスターを具えたフレームを工業用扇風機に固定し、且つそのフレームは工具を置くハンドル桿を具え、扇風機及び工具を自在に移動して作業し、作業空間の通気を改善するものである。
【背景技術】
【０００２】
工業用扇風機は、即座に温度を下げ、汚れた空気を外に出す働きをする。送風を必要とする場所は常に移動するが、公知の工業用扇風機の構造は、ファンに脚台もしくは底台が設置され、且つ一般的な脚フレーム構造の大部分は三脚で、単桿で下段が折畳桿になっており、円形もしくは四角形の形状である。底台の構造がこのように単桿と底板一体成型の場合、移動が不便であり、持ち上げて移動しなければならず、骨が折れる。
また、単純に扇風機にキャスターを設置しただけのものだと、使用者は腰を曲げて手で扇風機を押さなければならず、やはり不便である。
【考案の開示】
【考案が解決しようとする課題】
【０００３】
解決しようとする問題点は、単桿式の場合、移動が不便である点であり、単に扇風機にキャスターを設置したものの場合、腰を曲げて手で扇風機を押さなければならず、使用者は骨が折れるという点である。
【課題を解決するための手段】
【０００４】
本考案は、扇風機、フレーム及びハンドル桿から構成される。そのうち、フレーム下方にキャスターを設置し、フレーム上には差込管を設置する。差込管には位置をずらした穿孔が穿設され、差込管にハンドル桿を設置する。更に、ハンドル桿にも位置をずらした穿孔が対応し、固定部品によって固定する。ハンドル桿には別にフックを設置することを最も主要な特徴とする。
本考案の移動式工業用扇風機は、使用者が楽に扇風機を押して自在に作業地点に移動できるという利点がある。
【考案を実施するための最良の形態】
【０００５】
図１に示すとおり、本考案の一実施例による移動式工業用扇風機は、扇風機1、フレーム２及びハンドル桿３から構成される。
扇風機１には電気コード１１が設置され、扇風機１本体は左右回転及び高度上下調整が可能である（公知未提示）。
【０００６】
フレーム２下方にはキャスター２１が設置され、キャスター２１の上には差込管２２が設置され、そこの方向の異なる場所に穿孔２２１及び穿孔２２２が穿設される。そして、固定部品２３で止める（図では、ねじ２３１とナット２３２を使用しているが、リベット釘もしくはばねピンでもよい）。
ハンドル桿３上には別にフック３１が設置される。
【０００７】
図２に示すとおり、扇風機１をフレーム２に固定し、フレームの差込管２２にハンドル桿３を嵌め込み、固定部品２３のねじ２３１でそれぞれ穿孔２２１及び穿孔２２２に挿しこみ、ナット２３２で固定する。そして、ハンドル桿３を押し、キャスター２１で扇風機１を作業地点に設置する。扇風機の電気コード１１はフレーム２のフック３１に巻いて収納し、ハンドル桿３を差込管２２に交差して固定すると、緩まない。
【図面の簡単な説明】
【０００８】
【図１】本考案の一実施例による移動式工業用扇風機を示す分解斜視図である。
【図２】本考案の一実施例による移動式工業用扇風機を示す斜視図である。
【符号の説明】
【０００９】
１  扇風機、２  フレーム、３  ハンドル桿、１１  電気コード、２１  キャスター、２２  差込管、２３  固定部品、３１  フック、２２１  穿孔、２２２  穿孔、２３１  ねじ、２３２  ナット
【図１】
0003102227.tif 000003
【図２】
0003102227.tif 000004
(57)【要約】      （修正有）【課題】足場の自由度が小さい工場等の建屋における高所作業における作業者の安全性を確保するための安全帯ワイヤ連結用部材を提供することを目的とする。【解決手段】柱と柱の間に安全帯ワイヤが張設された高所作業場において、ワイヤに安全帯フック７を繋留して移動する際に用いられる安全帯ワイヤ連結用部材であって、ワイヤ間同士を迂回するためにワイヤから分岐したバイパス５と、ワイヤとバイパスの分岐点に安全帯フックの開閉レバー８を当てて開口させるためのフック当て金６を有することを特徴とする。【選択図】図１
0003102282.tif 000002
【実用新案登録請求の範囲】
【請求項１】
柱と柱の間に安全帯ワイヤが張設された高所作業場において、ワイヤに安全帯フックを繋留して移動する際に用いられる安全帯ワイヤ連結用部材であって、ワイヤ間同士を迂回するためにワイヤから分岐したバイパスと、ワイヤとバイパスの分岐点に安全帯フックの開閉レバーを当てて開口させるためのフック当て金を有することを特徴とする安全帯ワイヤ連結用部材。
【考案の詳細な説明】
【技術分野】
【０００１】
本考案は、工場等の高所作業において、作業者が安全に歩行するための安全帯ワイヤ連結用部材に関する。
【背景技術】
【０００２】
建設現場の高所作業におけるこの種の公知例として、特許文献１には、設定強度の金属または合成樹脂を素材として安全帯のフックを貫通させることができる内空間を備え、かつ、端部を有する準環状体にするとともに、その両端部分における互いの側辺を相対向させて前記フックを連ねた安全帯を摺動通過させることができる間隙幅を有する間隙部を介して設定長さの並列区間を設け一重以上二重未満の準螺旋形態にして安全索繋留部を形成し、該安全索繋留部の外周の一部より直径方向の延長線上を指向する接続片を突接形成するとともに、該接続片に先端に鋼管用クランプまたは締結金具あるいは一般的な接続金具等の取付部材を装着してなる建設現場に張り巡らす安全索の支持繋留金具が開示されている。
【０００３】
特許文献２には、親綱の位置を規制する親綱規制用治具であって、前記親綱を囲むような形状で、かつ、先端と後端とが前記親綱に沿った方向に所定間隔をおいて存在するように構成されてなり、略コイル形状に構成された親綱規制用治具が開示されている。
【０００４】
【特許文献１】特許２７２９３６５号公報
【特許文献２】実開平６−７４１５７号公報
【考案の開示】
【考案が解決しようとする課題】
【０００５】
工場等の建屋における高所作業においては、前記公知例の建設現場における作業とは違い、作業時の足場の自由度が小さい。すなわち、工場等の建屋における高所作業では柱や梁といった建築構造物に規制され、作業者が移動する足場等が限られる。また、安全帯用のワイヤも限定された箇所にしか設置できないことが多いのが現状である。
【０００６】
特に、工場の天井クレーンのガーター部では、スペースが限られるため、足場が狭く、安全帯用のワイヤも柱と柱の間にしか設置できない。このため、保守点検作業者は、安全帯のフックをワイヤに繋留して移動する時、柱がある箇所でいったんワイヤからフックをはずし、柱を回りこんでフックを柱の反対側に張設されたワイヤに再度繋留する必要が生じていた。これは、柱を回りこむ際、安全帯が機能していないことを意味し、非常に危険であるという問題があった。
【０００７】
本考案では、前記の危険を回避するための安全帯ワイヤ連結用部材を提供することを目的とする。
【課題を解決するための手段】
【０００８】
柱と柱の間に安全帯ワイヤが張設された高所作業場において、ワイヤに安全帯フックを繋留して移動する際に用いられる安全帯ワイヤ連結用部材であって、ワイヤ間同士を迂回するためにワイヤから分岐したバイパスと、ワイヤとバイパスの分岐点に安全帯フックの開閉レバーを当てて開口させるためのフック当て金を有することを特徴とする。
【考案の効果】
【０００９】
本考案の安全帯ワイヤ連結用部材を用いることで、工場等の高所で柱を回り込むための安全帯用のワイヤを設置することができるとともに、安全帯のフックをワイヤからはずすことなく移動することができる。
【考案を実施するための最良の形態】
【００１０】
図１は本考案に係わる安全帯ワイヤ連結用部材の実施例を示すものであり、安全帯ワイヤ連結用部材を設置した建屋の高所作業場の概略図である
【００１１】
図１において、本考案の安全帯ワイヤ連結用部材はワイヤ間同士を迂回するためにワイヤ４ａ、４ｂから分岐したバイパス５と、ワイヤ４ａ、４ｂおよびバイパス５の分岐点に安全帯フック７の開閉レバー８を当てて開口させるためのフック当て金６とから構成される。柱１および足場３から構成される高所作業場において、安全帯ワイヤ４ａと４ｂは柱１の両側面に固定され張設されている。該安全帯ワイヤ４ａと４ｂには柱１を迂回するための鋼棒などからなるバイパス５が設けられ、さらに安全帯ワイヤ４ａおよび４ｂとバイパス５の分岐点に、安全帯フック７の開閉レバー８を当てて開口させるための鋼板などからなるフック当て金６を溶接などにより設置させている。安全帯は安全帯フック７と開閉レバー８と安全帯本体９から構成される。開閉レバー８は図示省略したスプリングによって閉鎖位置に向けて付勢されている。また安全帯本体９は作業者（図示せず）の胴部に固定されている。
【００１２】
図１において、作業者が安全帯ワイヤ４ｂにフック７を繋留させて柱１を迂回して安全帯ワイヤ４ａに移動する場合、フック７はワイヤ４ｂからバイパス５に分岐する際、フックの開閉レバー８がフック当て金６に当ることにより開閉レバー８は開口する。フック７は開閉レバー８が開口した状態で作業者の移動方向に引かれ、バイパス５に移動する。移動完了と同時にフック７の開閉レバー８はスプリングによって速やかに閉鎖し、フック７は円滑にワイヤ４ｂからバイパス５に移動する。
【００１３】
また、バイパス５から他方の安全帯ワイヤ４ａに移動する際も、前記と同様の機構によって、フック７は円滑に４ａに移動できる。
【００１４】
前記の安全帯ワイヤ連結用部材を、工場の建屋に設置された天井クレーンのガーター保守点検足場に設置して、実際に使用してみたところ、安全帯フックは安全帯ワイヤおよびバイパスに確実に繋留でき、その結果作業者の安全性は格段に向上した。
【産業上の利用可能性】
【００１５】
本考案によれば、柱や梁等の建築構造物に規制された工場等の建屋における高所作業でも、安全帯フックを安全帯ワイヤおよびバイパスに確実に繋留できるため作業者の安全性を確実に得ることができる。
【図面の簡単な説明】
【００１６】
【図１】本考案の安全帯ワイヤ連結用部材の実施例を示す図である。
【符号の説明】
【００１７】
１  柱、  ３  足場、  ４  安全帯ワイヤ、  ５  バイパス、
６  フック当て金、  ７  安全帯フック、  ８  フック開閉レバー、
９  安全帯
【図１】
0003102282.tif 000003
(57)【要約】【課題】  人体に接触させておくことにより足や肩等の冷え等を解消するチップを提供する。【解決手段】  本考案のチップ１は指の爪大の板状のチタンで形成され、野球の本塁ベース状の５角形をなして山形の尖頭部１ａを有すると共に、該チップ１の表面は平滑にして所定の色調となる様に表面処理し、当該チップ１を例えば絆創膏などのテープにより人体に接触するように貼り付けると、前記尖頭部１ａ方向の人体の生体電流を整わせると共に人体に対して温熱効果がある。【選択図】        図１
0003102237.tif 000002
【実用新案登録請求の範囲】
【請求項１】
所定の色調に表面処理した山形の尖頭部を有する本塁ベース状の５角形に形成した板状チタンからなるチップ。
【考案の詳細な説明】
【技術分野】
【０００１】
本考案は、人体に接触させておくことにより足や肩等の冷え等を解消するチップに関する。
【背景技術】
【０００２】
従来より、人体に装着するチップとして強力な小粒の磁石が用いられており、血行の促進に効果があるとされているが、最近はマイナスイオンブームにより、マイナスイオンを発生するといわれているトルマリンの粉末入りのブレスレットや、また、マイナスイオンを発生させるセラミックス粉末を含有した地金を使用した装身具もある（例えば、特許文献１参照。）。
【特許文献１】特開平１１−５６４２５号公報
【考案の開示】
【考案が解決しようとする課題】
【０００３】
従来の人体に装着するブレスレットなどの装身具の場合は、体に良いというものを終日装着している安堵感はあっても本当に体に良いという実感をもてない問題点があった。
【０００４】
本考案は、温熱効果により体調を回復するために人体に装着するチップを提供することを目的とする。
【課題を解決するための手段】
【０００５】
本考案は上記の目的を達成すべく所定の色調に表面処理した山形の尖頭部を有する本塁ベース状の５角形に形成した板状チタンからなる。
【考案の効果】
【０００６】
所定の色調処理した５角形のチタン製チップの尖頭方向に生体電流を導くことにより短時間に生体電流が整って体調が回復する効果を有すると共に、温熱効果を有して足や肩等の冷えを解消する。
【考案を実施するための最良の形態】
【０００７】
本考案の１実施例を図１により説明する。
【０００８】
１はチップを示し、該チップ１は指の爪大で野球の本塁ベース状の５角形をなした純度９９％以上の板状のチタンからなり、その山形の尖頭部１ａと鈍角の肩部１ｂ、１ｂと下方の直角の隈部１ｃ、１ｃの５個所のコーナー部を有し、各コーナー部共に安全上湾曲状の面取りがなされ、特に尖頭部１ａは小径に、他の肩部１ｂ、隈部１ｃはやや大径にそれぞれ湾曲状の面取りがなされている。
【０００９】
そして該チップ１は表面を平滑にすると共に青色などの所定の色調となる様に表面処理されている。
【００１０】
次に本考案の１実施例であるチップ１の使用方法を説明する。
【００１１】
先ず、チップ１を絆創膏などのテープで身体に貼るが、例えば、図２に示す如く肩こりや腰痛などがあるときにはその方向に尖頭部１ａを向けて１５〜３０分程貼着しておくと、携帯電話やＯＡ機器などから発する電磁波で生体電流が乱れることにより生ずる肩こりなどの体調不良を、前記尖頭部１ａ方向に生体電流が導かれて体調を回復させることができる。
【００１２】
ここで、本考案のチップ１の体調回復効果を実証するために、東京都産業技術研究所・墨田庁舎において、肩こりなどの体調不良の人に、図３に示す如く、２個の該チップ１を尖頭部１ａを両肩部に向けて貼着し、１〜５の＋印の測定個所においてサーモグラフィを用いて貼着直後と貼着約１０分後の温度測定をして、表１の如く、約２度の温度上昇をする試験データが得られた。
【００１３】
【表１】
0003102237.tif 000003
【００１４】
更に、図４に示す如く、足の裏面にも尖頭部１ａを上に向けて貼着し、１〜３の＋印の測定個所において貼着直後と約１６分後において表２の如く約２度の温度上昇をする試験データが得られた。
【００１５】
【表２】
0003102237.tif 000004
【００１６】
尚、図示していないが、５本足指個所はサーモグラフィにおいて測定点より更に高い温度上昇を示していた。
【００１７】
上記の肩部、足裏部の測定結果が示す如く、本考案のチップ１を貼着することで短時間に体温を上昇させており、その温熱効果により生体電流を整えて血行の促進などの体調回復効果を短時間に達成することができることが裏付けられた。
【００１８】
この様に本考案のチップ１は生体電流を整える作用があると共に、短時間に体調を回復できる効果を示した。
【００１９】
尚、チップ１の装着方法として、身体に直接貼り付ける代りにブレスレット又はネックレス等の内側に貼り付けて、人がこれら装身具を身に付けたときに、前記チップが人の肌に直接当るようにして使用してもよい。
【産業上の利用可能性】
【００２０】
本考案のチップは携帯電話、ＯＡ機器、電化製品から発する電磁波によって生ずる肩こりなどの体調不良を手軽に回復させることができる。
【図面の簡単な説明】
【００２１】
【図１】本考案の１実施例のチタン製チップの平面図である。
【図２】その使用時の説明図である。
【図３】肩部における測定点の説明図である。
【図４】足裏部における測定点の説明図である。
【符号の説明】
【００２２】
１      チタン製チップ
１ａ    尖頭部
【図１】
0003102237.tif 000005
【図２】
0003102237.tif 000006
【図３】
0003102237.tif 000007
【図４】
0003102237.tif 000008
【手続補正書】
【提出日】平成16年1月21日(2004.1.21)
【手続補正１】
【補正対象書類名】図面
【補正対象項目名】全図
【補正方法】変更
【補正の内容】
【図１】
0003102237.tif 000009
【図２】
0003102237.tif 000010
【図３】
0003102237.tif 000011
【図４】
0003102237.tif 000012
(57)【要約】【課題】  お茶を充分に入れることができ、且つ構造が簡単で製造コストを低減できるティーバッグ付きインスタントコップを提供する。【解決手段】  コップと、ティーバッグとを含むティーバッグ付きインスタントコップにおいて、前記ティーバッグの密封周縁の一部を、高周波溶着又は加熱シールによって、複数の固定点でコップ内の底板に固定する。お湯を入れると、上記ティーバッグは、固定点を除いた周縁がコップ内に浮き上がり、茶葉が確実に拡散して、充分にお茶を入れることができる。【選択図】  図３
0003102238.tif 000002
【実用新案登録請求の範囲】
【請求項１】
コップと、ティーバッグとを含むティーバッグ付きインスタントコップにおいて、お湯を入れた後に前記ティーバッグがコップ中に浮くよう前記ティーバッグの密封周縁の一部をコップ内に固定したことを特徴とするティーバッグ付きインスタントコップ。
【請求項２】
上記ティーバッグの固定部は、コップの底板である請求項１に記載のティーバッグ付きインスタントコップ。
【請求項３】
上記ティーバッグの固定は高周波溶着又は加熱シールである請求項１また２に記載のティーバッグ付きインスタントコップ。
【考案の詳細な説明】
【技術分野】
【０００１】
この考案はティーバッグ付きインスタントコップに係り、特にコップ内の底部にティーバッグが固定されているティーバッグ付きインスタントコップに関する。
【背景技術】
【０００２】
ティーバッグを有するインスタントコップが知られている（例えば特許文献１参照）。この文献に記載された「ティーバッグ係合式インスタントコップ」は、インナーコップと、このインナーコップを内面に嵌合できるメインコップを有し、前記インナーコップの下端の開口でティーバッグの周縁を押さえつけることにより、前記ティーをバッグを常時コップ内に固定し、お湯を入れると、間もなく飲むことができるよう構成されている。しかしながら、上記のものは次のような欠点があった。
【０００３】
コップをインナーコップとメンコップの２つの部材で構成しているから構造が複雑となり、製造コストが高くなる。
【０００４】
また、インナーコップの下部の開口でティーバッグの全周縁を押圧するため、お湯を入れた後、ティーバッグをコップ中に浮かせることができず、ティーバッグ内の粉末状の茶葉が充分に拡散できなくなる。特にティーバッグの下部にある茶葉は圧縮された状態で確実に拡散できないので、お茶をおいしく入れることができない。
【０００５】
だから、この考案の出願者は、「廃棄式ツー・イン・ワン・コップ」を開発し、中國実用新案第ＺＬ０１２７９９９．８号特許を取ったが、当該廃棄式のものでも、ティーバッグはコップ内の底部に全体が固定されているため、お湯を入れた時に、ティーバッグをコップ中に浮かせることができない。したがって、ティーバッグ内の粉末状の茶葉が確実に拡散せず、特にティーバッグの下部にある茶葉はほとんど拡散しないので、お茶を充分に入れることができない。
【特許文献ｌ】台湾特許公報第４１１８２０号公報
【考案の開示】
【考案が解決しようとする課題】
【０００６】
この考案の目的は、ティーバッグ内の茶葉を確実に拡散させてお茶を充分に入れることができるティーバッグ付きインスタントコップを提供することである。
【課題を解決するための手段】
【０００７】
上記目的を達成するためになされた本願の考案は、コップと、ティーバッグとを含むティーバッグ付きインスタントコップにおいて、お湯を入れた後に前記ティーバッグがコップ中に浮くよう前記ティーバッグの密封周縁の一部をコップ内に固定したことを特徴とするティーバッグ付きインスタントコップであることを要旨としている。
【考案の効果】
【０００８】
この考案に係るティーバッグ付きインスタントコップによれば、お湯を入れた後に前記ティーバッグがコップ中に浮くから、茶葉が確実に拡散し、お茶を充分に入れることができる。
【０００９】
また、この考案に係るティーバッグ付きインスタントコップによれば、ティーバッグの固定を高周波溶着又は加熱シールによって行っているため、その構造は従来のものより簡単であり、製造コストを低減することができる。
【考案を実施するための最良の形態】
【００１０】
以下、添付図面を参照して本考案の好適な実施の形態を詳細に説明する。
図１、図２を参照する。この考案に係るティーバッグ付きインスタントコップは、コップ１と、ティーバッグ２とを含む。
【００１１】
前記コップ１は、紙又は樹脂などの素材で、種々の形状の耐熱食品容器に作製され、開口端１１と底板１２とを有し、前記ティーバッグ２は開口端１１からコップ１内に挿入される。
【００１２】
前記ティーバッグ２は、二層の不織布、紙、樹脂、又は前記の数種類の素材を混合した材料で作製され、粉末状の茶葉２１を充填した後に周縁２２を密封して形成されている。そして、その密封周縁２２の一部は、高周波溶着又は加熱シールによって複数の固定点２３でコップ１内の底板１２に固定される。なお、底板の周囲のコップの内面側壁に固定してもよいし、所望により適宜の接着剤を用いて固定してもよい。
【００１３】
図３は本考案の使用時の説明図である。お湯を入ると、ティーバッグ２は、固定点２３によって一部だけが固定されているので、自由端がコップ１中に浮き上り、ティーバッグ２内の茶葉２１がお湯に押し流されて確実に拡散するため、お茶を充分に入れることができる。
【００１４】
上記に挙げた好適な実施形態は、この考案を説明するために挙げたものであり、この考案を制限するためのものではないので、本願の請求項に記載する内容の精神を逸らさない限り、全てが本考案の実用新案登録請求の範囲に属する。
【図面の簡単な説明】
【００１５】
【図１】この考案の主な部品の分解斜視図である。
【図２】この考案の組立てた状態の断面図である。
【図３】この考案の使用時の説明図である。
【符号の説明】
【００１６】
１      コップ
２      ティーバッグ
１１      開口端
１２      底板
２１      茶葉
２２      密封周縁
２３      固定点
【図１】
0003102238.tif 000003
【図２】
0003102238.tif 000004
【図３】
0003102238.tif 000005
(57)【要約】［課題］ペットボトルを持ち上げて傾けずに、飲料水を注出可能にすること。［解決手段］市販の大容量入りペットボトルのキャップと同じ口径で、ねじ込み式であり、ペットボトル本体を机等の上に倒して置いたままの状態で、キャップ先端に設けたボタン３を押すことにより、キャップ内部のスプリング４が縮んで、中栓５が押し開けられることにより、空気口６から空気が入り、同時に注出口７から、ペットボトル内の飲料水が好みの量だけ注出できるように構成した。【選択図】  図２
0003102231.tif 000002
【実用新案登録請求の範囲】
【請求項１】
市販の大容量入りペットボトルのキャップと同じ口径で、ねじ込み式であり、ペットボトル本体を机等の上に倒して置いたままの状態で、キャップ先端に設けたボタン３を押すことにより、キャップ内部のスプリング４が縮んで、中栓５が押し開けられることにより、空気口６から空気が入り、同時に注出口７から、ペットボトル内の飲料水が好みの量だけ注出可能にしたことを特徴するペットボトルのキャップ型注出装置。
【考案の詳細な説明】
［技術分野］
【０００１】本考案は非円形の外形を有するペットボトル、例えば２リットル入りのペットボトルに取り付け、ペットボトルを横に倒したまま、ボタンを押すだけで中の飲料水が注出できる様にした、ペットボトルのキャップ型注出装置に関する。
［背景技術］
【０００２】従来、この種の飲料容器用注出装置にあっては、数多くのものが提案されており、例えば実願平８−８６５４ペットボトル用キャップがある。従来のものは、開閉機能のついたキャップと付け替える、というものであった。
［考案の開示］
［考案が解決しようとする課題］
【０００３】しかしながら、前述の従来例をはじめ、これまでの飲料容器用注出装置ではペットボトルのキャップの締め戻しの手間を省けるに留まっていた。だが実際に、大容量のペットボトルから飲料水をコップに注ぐ場合、ペットボトルを持ち上げ、それを斜めに傾けなければならず、お年寄りや幼児にとっては、大変な作業であり、こぼすこともあった。又、この種のペットボトルは、アウトドアーでも大変多く利用されているが、アウトドアーでは、風でコップが倒されてしまうため、大人でも一人で注ぐことは困難であった。そこで、ペットボトルを持ち上げることなく、ペットボトルの中の飲料水を注出できないものかと思案されたものである。
【０００４】本考案の目的は、ペットボトルを横に倒しておいたまま、ワンタッチで、中の飲料水を注出できるよう構成されたキャップを、当該ペットボトルに冠着されているキャップと付け替えることにより、ボタンを押すだけで、内蔵されているスプリングが縮み、中栓が押し開けられるため、空気口から空気が入り、同時にペットボトル内の飲料水が、注ぎ口から、注出できるようにしたキャップ型注出装置を提供することである。
［課題を解決するための手段］上記の目的を達成するため、本考案に係るキャップ型注出装置は、市販の大容量入りペットボトルのキャップと同じ口径で、ねじ込み式であり、ペットボトル本体を机等の上に倒して置いたままの状態で、キャップ先端に設けたボタン３を押すことにより、キャップ内部のスプリング４が縮んで、中栓５が押し開けられることにより、空気口６から空気が入り、同時に注出口７から、ペットボトル内の飲料水が好みの量だけ注出できることを特徴とする。
［考案の効果］
【０００５】本考案によれば、市販のペットボトルのキャップを、付け替えることにより、ペットボトルを持ち上げず、ボタンを押すだけで、適量の飲料水が、幼児でもお年寄りでも、簡単に失敗なく注出できるようになる。また、片手でボタンを押すだけで注出可能なので、あいているもう片方の手でコップを持つことが出来、アウトドアーでも、一人で確実に注出することが出来るので、安心である。
また、ペットボトルを倒して置いたままで、注出できるようにした。つまり、ペットボトルを持ち上げて傾ける、という手間や力を省くことを可能にしたものである。また、ペットボトルの中の飲料水が無くなった場合には、洗浄も簡単にでき、別のペットボトルへの付け替えも可能であるため、衛生的かつ経済的である。その上、構造的に大変シンプルであるので、低価格で量産できるのである。
［考案を実施するための最良の形態］
［実施例１］
【０００６】本考案の実施例を図面を参照しながら説明する。図１は本考案の実施例を示す側面図、図２は図１の断面図、図３は使用時の状態を示す断面図である。本考案のキャップ型注出装置２は、キャップ部１４をペットボトルの口に装着して使用する。その為、キャップ部１４は、装着対象のペットボトルの口に螺合する螺子を内周設してあり、その上部には、空気口６と通気パイプ９を、又その下部には、注出口７を設けた。中心軸８は、キャップ型注出装置の中心を貫き、一端には注出する際に押すボタン３があり、もう一端には中栓５と、それに密着したパッキン１０がある。また、中心軸８にはスプリング止め板１３も設置されており、ボタン３を押すと、スプリング４をスプリング止め板１３が押し縮めるよう形成してある。仕切り板１１は、スプリング４とスプリング止め板１３を、飲料水から遮断するために設けた。内部円筒口１５は、ペットボトル１の口の内部に入り、中栓５とパッキン１０が密着することにより、飲料水の漏れ防止の為付設したものである。指掛け板１２は、ボタン３を押す際に指を引っ掛けて引っ張るようにしながら押せるように形成した。
【図面の簡単な説明】
【図１】本考案の実施例を示す側面図である。
【図２】図１の断面図である。
【図３】使用時の状態を示す断面図である。
【符号の説明】
１  ペットボトル                  ９  通気パイプ
２  キャップ型注出装置          １０  パッキン
３  ボタン                      １１  仕切り板
４  スプリング                  １２  指掛け板
５  中栓                        １３  内部円筒口
６  空気口                      １４  キャップ部
７  注出口                      １５  内部円筒口
８  中心軸
【図１】
0003102231.tif 000003
【図２】
0003102231.tif 000004
【図３】
0003102231.tif 000005
(57)【要約】      （修正有）【課題】トラクター後部の三テンリンクに取り付ける大根を引き機において、地中での抵抗を低くすることで、マルチフィルムの張っている大根畑でも使用可能とする。【解決手段】機会の中央に設けた梃１と刀２よにより地中に進入させ、梃１の両側に大根を押し上げる矢形刀３を設け、円板４によりマルチフィルムを割って梃１が通れるようにする。【選択図】図１
0003102233.tif 000002
【実用新案登録請求の範囲】
【請求項１】
梃（１）の両側に刀（２）を矢形に設置して刀で大根を圧し上げる角度（３）を設け（３）の微調整角度は梃（１）の前後の方向で行う、円板（４）でマルチフイルム（５）を回転で切り梃（１）の通路を作る上のごとく装着した大根一梃両刀二条引き機。
【考案の詳細な説明】
【考案の詳細な説明】
【技術分野】
【０００１】この考案はトラクター後部の三テンリンクを利用して大根を引く装置で機械の中央に鉄の板の梃を設けこの両側に鉄刀を矢形に設置した大根引き機に関するものです。
【背景技術】
【０００２】従来はマルチフイルム無し用の機械がほとんどでマルチフイルム大根畑用機種は一種類であったがこの機種も図（５）のように二梃二刀二条引き機で梃（１）が二本あるため地中での抵抗が高く馬力が多く必用であった。
【考案が解決しようとする課題】
【０００３】これは次のような欠点があった。
（イ）ほとんどの機械がマルチフイルムの張ってある大根畑では使用ができない機械であった。
（ロ）ほかに一機種マルチ用の機械があったが二梃二刀二条引きで梃が二本のため地中での抵抗が高く多くの馬力が必用であった。
本考案はこれらの欠点を除くためになされたものです。
【課題を解決するための手段】
【０００４】梃（１）を機械の中央に設け梃（１）の両側に刀（２）を矢形に設け大根を庄し上げる角度（３）を設置して梃（１）の前後の方向での角度で微調整ができるようにした。
マルチフイルム（５）を円板（４）で切るようにして梃（１）の通路を作った。又包丁を上向斜にしてマルチを切ってもよい。
本考案は以上のような構成よりなる大根一梃両刀二条引き機
【考案を実施するための最良の形態】
【０００５】以下本案の実施の形態について説明します。
（イ）本機はトラクター後部の三テンリンクに装着して前方に動く力を利用する。
（ロ）梃（１）と刀（２）で地中に進入させる。それと同時に円板（４）がマルチフイルムの表面に接して切り初める。
（ハ）マルチフイルムは円板（４）で二つに割れて梃（１）が通れるようになる。
（ニ）矢形刀（３）は大根の低部に達して大根を圧し上げる。
【考案の効果】
【０００６】本案は以上のような構造でこれを使用する時は大根の手前２ｍから１．５ｍで梃（１）と刀（２）を地中に進入させるなお図１の刀（２）にプラスチツク板、ポリ板をネジで取付けてすべりを良くしてもよい。
又、円板（４）はチツプソーやノコ刀の円板でもよい。
【図面の簡単な説明】
【図１】本考案の斜視図です。
【図２】本考案の作業図です。
【図３】本考案の右側面図です。
【図４】本考案の後部背面図です。
【図５】従来の機械の背面図です。
【符号の説明】
１梃  ２刀  ３矢形  ４円板  ５マルチフイルム  ６地中  ７三テンリンク  ８微調整
【図１】
0003102233.tif 000003
【図２】
0003102233.tif 000004
【図３】
0003102233.tif 000005
【図４】
0003102233.tif 000006
【図５】
0003102233.tif 000007
(57)【要約】【目的】この考案は、円盤目皿下駄により、市販のつけもの容器が水抜きの段階でも使える用にするためのものである。【構成】通常のつけもの容器に、底部より約１／３の深さに設置できる２枚歯、または３本足の目皿円盤下駄を追加する。【選択図】図２
0003102275.tif 000002
【実用新案登録請求の範囲】
【請求項１】
（イ）市販漬け物容器に、野菜の水分を絞るための目皿下駄を追加する。
（ロ）目皿下駄は容器内底部から約１／３での直径と高さで、２枚歯または３本足とする。
以上の如く通常の容器と円盤目皿下駄で構成された、漬け物容器。
【考案の詳細な説明】
【考案の詳細な説明】
【利用分野】
【０００１】  この考案はキムチ漬けの過程で野菜の水抜きを簡単にするものである。
【従来の容器】
【０００２】  従来の漬け物容器を、キムチ調味料を加える前に、野菜の水分を絞るためにも使うには欠点がある。
【考案が解決使用とする問題点】
【０００３】  本案は、通常の漬け物容器としての機能を全く損なうことなく、野菜の水分を絞るためにも使えるための機能を付加する下駄を開発しようとするものである。
【問題を解決するための手段】
【０００４】いまその解決手段を、白菜キムチ作りを例に、図面を追いながら説明すれば、
（イ）白菜を通常の方法で塩漬けする。このときはまだ目皿下駄の出番は不要である。（図１）
（ロ）塩漬けし、水洗いした白菜の水分を絞るために、容器に目皿下駄を入れる。（図２）
（ハ）水分をのぞいた白菜に調味料をからめて軽い重石で漬け込む。  この段階も新案の出番は不要である。（図−３）
【考案の効果】
本案は、漬け物容器の通常の使い方に加えて、キムチ作りに不可欠な野菜の水分除去にも使えるようにするための付属品となる円盤目皿下駄を提供する。
【図面の簡単な説明】
【図１】本考案が不要な塩漬けの段階の側面図
【図２】本考案を使った水抜きの段階の側面図
【図３】本考案の容器による仕上げ漬けの段階の側面図
【符号の説明】
１漬け物容器
２重石
３押さえふた
４円盤目皿下駄
【図１】
0003102275.tif 000003
【図２】
0003102275.tif 000004
【図３】
0003102275.tif 000005
(57)【要約】      （修正有）【課題】市販のつけもの容器で水抜き目皿円盤が使えるようにするためのものである。【解決手段】容器の内径に合わせて使える目皿円盤4を作成し、容器1内側に円盤4をのせる突起5を設ける。【選択図】図２
0003102276.tif 000002
【実用新案登録請求の範囲】
【請求項１】
（イ）市販プラスチック製漬け物容器の押さえふたの他に、これと直径がほぼ等しい目皿盤を追加する。
（ロ）容器の底部から約１／３の深さに目皿盤をのせる突起を設ける。
以上の如く構成された、漬け物容器。
【考案の詳細な説明】
【考案の詳細な説明】
【利用分野】
【０００１】  この考案はキムチ漬けの過程で野菜の水抜きを簡単にするものである。
【従来の容器】
【０００２】  従来の漬け物容器を、キムチ調味料を加える前の野菜の水分を絞るために使うには欠点がある。
【考案が解決使用とする問題点】
【０００３】  本案は、通常の漬け物容器としての機能を全く損なうことなく、野菜の水分を絞るためにも使える、便利な機能を付加した容器を開発しようとするものである。
【問題を解決するための手段】
【０００４】  いまその解決手段を、白菜キムチ作りを例に、図面を追いながら説明すれば、
（イ）野菜を通常の方法で塩漬けする。このときはまだ新案の出番は不要である。（図１）
（ロ）塩漬けし、水洗いした野菜の水分を絞るために、突起の上に目皿円盤をのせて使う。（図２）
（ハ）水分を絞った白菜に調味料をからめて軽い重石で漬け込む。
この段階も新案の出番は不要である。（図−３）
【考案の効果】
本案は、通常の漬け物容器としての利便性を維持しながら、おいしいキムチ作りに不可欠な野菜の水分除去に便利な機能を提供する。
【図面の簡単な説明】
【図１】本考案の容器による塩漬けの段階の側面図
【図２】本考案の容器による水抜きの段階の側面図
【図３】本考案の容器による仕上げ漬けの段階の側面図
【符号の説明図】
１漬け物容器
２重石
３押さえふた
４目皿円盤
５目皿をのせる突起
【図１】
0003102276.tif 000003
【図２】
0003102276.tif 000004
【図３】
0003102276.tif 000005
(57)【要約】      （修正有）【課題】誰もが安心して簡単に使用出来、且つ、軽くて丈夫で、伸縮長さ調整可能な自立支柱付靴べらを開発・提供する。【解決手段】伸縮式自立支柱１と、靴べら2を組み合わせて成る自立支柱付靴べら２において、該自立支柱は、支柱本体と、支柱本体の上端部に設けた取手部１aと、支柱本体の下端部に設けた安定用支架1dとで成り、且つ、該支柱本体は、所定寸法間隔で段階的に所定の寸法程伸縮長さ調整可能とし、且つ、該支柱本体下端部の安定用支架中央部に靴べらを設けたものである。【選択図】図１
0003102278.tif 000002
【実用新案登録請求の範囲】
【請求項１】
自立支柱と、靴べらを組み合わせて成る自立支柱付靴べらにおいて、伸縮調整可能な支柱（１）を設け、該支柱（１）の上端部には取手部（１ａ）を設け、下端部両側に一対の安定用支架（１ｄ）を設け、且つ、下端部中央には靴べら（２）を設けた事を特徴とする自立支柱付靴べら。
【考案の詳細な説明】
【技術分野】
【０００１】
この考案は、自立支柱付靴べらに関するものである。
【背景技術】
【０００２】
従来の靴べらには数多くの種類が見受けられ、本来の靴べらの機能だけを有するものや、杖状の支柱に靴べらを設けた物や、靴べら付中敷きや、靴べら付靴等、複数の機能を有する物等種々様々である。
【０００３】
そこで、その一部を紹介すると、まず、立ったままで靴を履いたり、脱いだりでき、しかも、脱いだ靴の向きを反転して揃えることが出来る物や、靴べら付履物整頓具や、又、長さを任意に伸縮長さ調整可能な支柱の下部に、靴べらを設けた物等がある。（例えば、特許文献１〜３を参照。）
【特許文献１】登録実用新案第３０２０８７６号
【特許文献２】特許公開２０００−１３５１５６
【特許文献３】特許公開２００２−１８６５５１
【０００４】
しかし、これまでに出願された大半が、使い勝手に問題が有ったり、又、強度不足や安定性に今一不安を感じるものが多かった。
【考案の開示】
【考案が解決しようとする課題】
【０００５】
そこで、この考案は、上記課題を達成する為に、誰もが安心して簡単に使用出来、且つ、軽くて丈夫で、伸縮長さ調整可能な自立支柱付靴べらを開発・提供する事にある。
【課題を解決するための手段】
【０００６】
この課題を解決する為の手段として、この考案は自立支柱と、靴べらを組み合わせて成る自立支柱付靴べらにおいて、伸縮調整可能な支柱を設け、該支柱の上端部には取手部を設け、下端部両側に一対の安定用支架を設け、且つ、下端部中央には靴べらを設けたものである。
【考案の効果】
【０００７】
この考案の効果として、伸縮式自立支柱と、靴べらを組み合わせる事で、本来の靴べらとしての機能は勿論、安定性と高さ調整機能を有する伸縮式の軽量型高強度の杖としての機能を加える事で、誰もが安心して簡単に靴べら及び杖として使用出来る。
【０００８】
又、支柱の下端部に設けた安定用支架の２本の爪部を使用して一対の靴を同時に持ち上げ、整理・整頓をすることも出来、又、使用後に手を離しても自立可能な為、使い勝手が非常に良い等、極めて有益なる効果を奏するものである。
【考案を実施するための最良の形態】
【０００９】
この考案の最良の形態は、軽量型高強度を有する伸縮式自立支柱と、靴べらを組み合わせて構成するものである。
【実施例１】
【００１０】
そこで、この考案の一実施例を図１〜図３に従って詳述すると、自立支柱と、靴べらを組み合わせて成る自立支柱付靴べらにおいて、伸縮調整可能な支柱（１）を設け、該支柱（１）の上端部には取手部（１ａ）を設け、下端部両側に一対の安定用支架（１ｄ）を設け、且つ、下端部中央には靴べら（２）を設けた事を特徴とする自立支柱付靴べらから構成される。
【００１１】
次に、この考案の各部の材質、及び内部構造について説明すると、まず、支柱（１）の上部の取手（１ａ）は、略Ｔ字状の樹脂で形成され、支柱は外径寸法が２０ｍｍ×１６ｍｍの楕円形状をしたアウターパイプ（１ｂ）と、外径寸法が２３．５ｍｍ×１９ｍｍの楕円形状をしたインナーパイプ（１ｃ）の大小２種類の楕円形状アルミ製パイプを嵌挿し、且つ、上下伸縮方向の所定長さ寸法（Ｘ）（Ｘ’）は、最大１００ｍｍ程伸縮可能とし、又、金属製ストッパー（３）と、略Ｕ形スプリング（４）を組み合わせて、２５ｍｍの所定寸法間隔（Ｐ）で段階的に固定出来る様に、アウターパイプ（１ｂ）側の側部に、直径約φ６．５ｍｍの穴（１ｂ’）を５箇所設けて形成されている。
【００１２】
又、支柱の下端部に設けた安定用支架（１ｄ）は、支柱と同様、アルミ製で、正面視形状が逆Ｕ字形で、右側面視形状がＬ字形状で、平面視形状が略逆Ｍ字形状に形成することで、安定性を持たせている。又、左右に分かれた２本の爪部（１ｄ’）を使用して靴の穴部に差し込んで靴を持ち上げ、整理・整頓をする事が出来る。
【００１３】
そして、安定用支架（１ｄ）の中央部に設けた靴べらは、樹脂製で形成され、使い勝手を良くする為に、所定の角度（α）を設けて取り付けられている。
【００１４】
更に、この考案である自立支柱付靴べらを手放した時でも自立可能にする為に、安定用支架（１ｄ）の底面に対して支柱の中心部を、垂直線より若干内側に所定角度（β）程傾斜させて取り付けられている。
【００１５】
又、安定用支架（１ｄ）の底面部４箇所にゴム製の滑り止め（５）をビス等の係止部材（Ｓ）で固着し、安全性を図っている。
【産業上の利用可能性】
【００１６】
この考案の自立支柱付靴べらは、靴べらの機能のみならず、安定性と高強度を有し、且つ、支柱部の長さを伸縮調整可能にする事で、誰もが安心、且つ、安全に使用出来、広範囲の市場に寄与する点で産業上の利用可能性を有する。
【図面の簡単な説明】
【００１７】
【図１】この考案の一実施例を示し、（Ａ）は平面図で、（Ｂ）は正面図である。
【図２】この考案の一実施例を示し、一部欠截右側面図である。
【図３】この考案の一実施例を示し、図２のａ−ａ矢視断面図である。
【図４】従来例を示し、靴べらを備えた靴揃え具の斜視図である。
【符号の説明】
【００１８】
１  自立支柱
１ａ  取手部
１ｂ  アウターパイプ
１ｂ’  穴
１ｃ  インナーパイプ
１ｄ  安定用支架
１ｄ’  爪部
２  靴べら
３  ストッパー
４  スプリング
５  滑り止め
Ｓ  スクリュウ等の係止部材
Ｘ  所定長さ寸法
Ｘ’  所定長さ寸法
Ｐ  所定寸法間隔
【図１】
0003102278.tif 000003
【図２】
0003102278.tif 000004
【図３】
0003102278.tif 000005
【図４】
0003102278.tif 000006
(57)【要約】      （修正有）【課題】すり犯罪を未然に防止する為に、財布に盗難防止ブザー装置を組込んだ盗難防止ブザー装置付財布に関する。【解決手段】財布本体１に小型の盗難防止ブザー装置２を組込み、ストラツプ３に取付たスイツチジャツク４を盗難防止ブザー装置のスイツチ部穴に差込み、スイツチをＯＦＦの状態にする。財布本体を無理に引くと、盗難防止ブザー装置部とスイツチジャツク部が外れるか、又は、ずれるとスイツチがＯＮの状態になり、盗難防止ブザーが鳴る構造とする。盗難防止ブザー装置部とスイツチジャツク部の接続は多少の振動，引張では、抜け出だして、スイツチＯＮの状態にならない様な構造とする。【選択図】図１
0003102261.tif 000002
【実用新案登録請求の範囲】
【請求項１】
（イ）財布（１）に盗難防止ブザー装置（２）を組込む。
（ロ）携帯用ストラツプ（３）にスイツチジャツク（４）を取付る。
以上の如く構成された、盗難防止ブザー装置付財布。
【請求項２】
財布（１）に盗難防止ブザー装置（２）を組込み、内部を被服二重線にした携帯用コイル型ストラツプ（３）の先端に取付たスイツチジャツク（４）で盗難防止ブザー装置を接続する盗難防止ブザー装置付財布。
【考案の詳細な説明】
【考案の詳細な説明】
【考案の技術分野】
【０００１】この考案は、ストラツプを上着の内ポケツトに強固に挟み込み、盗難防止ブザー装置付財布本体とストラツプに取付たスイツチジャツクで接続する盗難防止ブザー装置付財布に関するものである。
【背景技術】
【０００２】従来は普通の財布である為、電車等で寝ているあいだに、すりグループ等に財布をすり取られる犯罪が多発している状況にある。
【考案が解決しようとする課題】
【０００３】本考案は、その欠点を除いて、すり犯罪を未然に防止する為に開発しようとするものである。
【課題を解決するための手段】
【０００４】いまその解決手段を図面にて説明すれば、
財布本体（１）に小型の盗難防止ブザー装置（２）を組込み、ストラツプ（３）に取付たスイツチジャツク（４）を盗難防止ブザー装置のスイツチ部穴に差込みスイツチをＯＦＦの状態にする。財布本体を無理に引くと、盗難防止ブザー装置とスイツチジャツク部が外れるか、又は、ずれるとスイツチがＯＮの状態になり、盗難防止ブザーが鳴る構造とする。
盗難防止ブザー装置部とスイツチジャツク部の接続は多少の振動，引張では、抜け出だして、スイツチＯＮの状態にならない様な構造とする。
又、ストラツプ内部を被服二重線とし、ペンチ等で切断された場合は、瞬時に微弱電流を流し、別の系統でスイツチをＯＮの状態にして盗難防止ブザーを鳴らす、二重スイツチ構造とする。
ストラツプの落下防止金具の挟み口は、簡単に開放出来ない構造とする。
【考案を実施するための最良の形態】
【０００５】本考案は、以上のような構造であるから、これを使用するときは、盗難防止ブザー装置部とスイツチジャツク部の接続を正確に行い、ストラツプの落下防止金具を内ポケツトに強固に取付ける。
【考案の効果】
したがつて、すりグループ等にとつては、非常に犯行におよびにくい為すりによる被害を極端に減少させる事が出来るものである。
【図面の簡単な説明】
【図１】本考案の斜視図
【図２】本考案の盗難防止ブザー装置
【図３】本考案のスイツチジャツク付ストラツプ
【符号の説明】
１は財布本体
２は盗難防止ブザー装置
３はストラツプ
４はスイツチジャツク
【図１】
0003102261.tif 000003
【図２】
0003102261.tif 000004
【図３】
0003102261.tif 000005
(57)【要約】      （修正有）【課題】従来の仮性包茎矯正具のもつ問題を解決し、装着時の違和感の除去、サイズの個人差に対し使用者自らが柔軟に加工・対応できることを目的とし、亀頭を覆う包皮の余りの多い人、少ない人でも違和感なく使用できることを目的とする。【解決手段】独立気泡型ポリクロロプレン・スポンジ・ラバーもしくはこれと同等の伸縮可能素材をドーナツ状に加工し、内径にあっては１５ｍｍから２０ｍｍ、望ましくは１５ｍｍ、外径にあっては５０ｍｍから６０ｍｍ、望ましくは６０ｍｍ、また本考案の器具の厚みにあっては、１．５ｍｍから３ｍｍ、望ましくは１．５ｍｍの素材により構成される仮性包茎矯正具を男性器、亀頭直後のくびれ部分に装着し、余った包皮をせき止め亀頭部分を常時露出させる。【選択図】図１
0003102264.tif 000002
【実用新案登録請求の範囲】
【請求項１】
独立気泡型ポリクロロプレン・スポンジ・ラバーもしくはこれと同等の伸縮可能素材により構成されるドーナツ状の伸縮性リング(図２)により形成されることを特徴とする仮性包茎矯正具。
【請求項２】
使用者の男性器のサイズにより、使用者自身が容易にサイズ調整することを可能とした独立気泡型ポリクロロプレン・スポンジ・ラバーもしくはこれと同等の伸縮可能素材により形成されることを特徴とする請求項１に記載した仮性包茎矯正具。
【請求項３】
請求項１及び２の特徴を持つ独立気泡型ポリクロロプレン・スポンジ・ラバーもしくはこれと同等の伸縮可能素材を抗菌・防臭処理した衛生上好ましい素材により形成されることを特徴とする請求項１及び２に記載した仮性包茎矯正具。
【考案の詳細な説明】
【技術分野】
【０００１】
本考案は仮性包茎の人の包皮を剥いた状態を保持して包皮に皺を定着させて亀頭部分を常時露出させる仮性包茎矯正具に関する。
【背景技術】
【０００２】
従来の技術は、シリコンラバー等の素材を用いて、リング状もしくはひも状の器具により余った包皮をリング状部分によりせき止める、もしくはひも状器具により包皮を引っ張ることにより亀頭部分を露出させることを意図して製作されていたが、従来の矯正具では、包皮が多く余る人によってはそのリング状器具を包皮が乗り越えてしまったり、ひも状器具においては装着時に違和感を伴うという問題があった。また、使用者の男性器のサイズは千差万別であり、使用者自らがサイズ調整を簡単に行えることを可能としたリング状矯正具はなかった。
【考案の開示】
【考案が解決しようとする課題】
【０００３】
本考案は、従来の仮性包茎矯正具のもつ問題を解決し、装着時の違和感の除去、サイズの個人差に対し使用者自らが柔軟に加工・対応できることを目的とし、亀頭を覆う包皮の余りの多い人、少ない人でも違和感なく使用できることを目的とする。
【課題を解決するための手段】
【０００４】
本考案は、上記の課題を解決するため独立気泡型ポリクロロプレン・スポンジ・ラバーもしくはこれと同等の伸縮可能素材を図２に示すように、ドーナツ状に加工し、内径にあっては１５ｍｍから２０ｍｍ、望ましくは１５ｍｍ、外径にあっては５０ｍｍから６０ｍｍ、望ましくは６０ｍｍ、またこの矯正具の厚みにあっては、１．５ｍｍから３ｍｍ、望ましくは１．５ｍｍの素材により構成される。また、この独立気泡型ポリクロロプレン・スポンジ・ラバーもしくはこれと同等の伸縮可能素材はウエットスーツ等に使用される素材であるため、防水性にすぐれ、また抗菌、防臭機能を有した素材もすでに完成されている。加えて、伸縮性は最大５００％まで引っ張り可能な機能を有し、しかも耐久性、耐候性に優れている。
【考案の効果】
【０００５】
本考案の、独立気泡型ポリクロロプレン・スポンジ・ラバーもしくはこれと同等の伸縮可能素材により形成された、上記サイズの矯正具は、通常の鋏により切り取り加工が可能であるため、使用者自身によりサイズを加工することを容易としている。このため、個人差により包皮の余りが多い人でもその包皮が、本考案の矯正具を乗り越えることはなく、装着時には常時、男性器、亀頭部分を露出した状態に保つことが可能である。
【考案を実施するための最良の形態】
【０００６】
本考案の、独立気泡型ポリクロロプレン・スポンジ・ラバーもしくはこれと同等の伸縮可能素材により形成された、上記サイズの矯正具は、通常の鋏により切り取り加工が可能であるため、使用者自身によりサイズを加工することが容易となっている。したがって、好ましい寸法は内径にあっては小さめ、外径にあっては大きめに設定している。このため包皮の余りが少ない人においては、包皮が本考案の矯正具を乗り越えない程度に外径を鋏等によりカットし、小さくすることが可能である。また、内径においては亀頭直後のくびれ部分に装着した場合にきつく感じる場合には、外径と同様に鋏にてカットし内径寸法を拡大することを可能としている。
【０００７】
本考案の、独立気泡型ポリクロロプレン・スポンジ・ラバーもしくはこれと同等の伸縮可能素材により形成された上記サイズの矯正具は厚みを１．５ｍｍから３ｍｍに設定可能であるが、望ましくは１．５ｍｍであり、これより薄い場合には、余った包皮が本考案の矯正具を乗り越える場合が想定される。また３ｍｍを超える厚みとすると男性器の通常時、勃起時の形状変化により違和感を感じたり、あるいは通常時に脱落することが考えられる。装着実験の結果、厚さ１．５ｍｍとした場合において男性器の通常時、勃起時の形状変化があっても違和感を感じることなく、また、脱落することもなかった。
【実施例１】
【０００８】
実施例を説明すると、図３に示すように、男性器の亀頭直後のくびれ部分に本考案の矯正具をやや引っ張りながら装着する。
【実施例２】
【０００９】
他の実施例では、サイズ調整が図４に示すように、余る包皮の量により外径寸法の調整、縮小を可能とし、また装着時にきつさを感じる場合には、内径寸法の調整を鋏等によりカットし装着時の違和感を解消することが可能である。これは好ましい実施形態を説明するものであるが、本考案はこれら実施例に限定されるものではなく、請求項に特定される概念、範囲に含まれる実施例、変形例を全て本願は含むものとする。
【図面の簡単な説明】
【００１０】
【図１】本考案の矯正具を男性器に装着した場合を図示したものである。
【図２】本考案の構造を図示したものである。
【図３】本考案の実施例１を図示したものである。
【図４】本考案の実施例２を図示したものである。
【符号の説明】
【００１１】
１  仮性包茎矯正具。
２  矯正具の外径寸法。
３  矯正具の内径寸法。
４  矯正具の厚み
５  男性器
【図１】
0003102264.tif 000003
【図２】
0003102264.tif 000004
【図３】
0003102264.tif 000005
【図４】
0003102264.tif 000006